(57)【要約】【課題】溶接作業をなくすことができるうえ、作業の効率化が図れる。【解決手段】セパレータ取付冶具１は、平面視で全周にわたって設けられる吹付けコンクリート３Ｂによる壁面３ａにセパレータ６により所定位置に保持される内型枠４を用いて、コンクリート打設により立坑２を構築するものであり、壁面３ａに支持され、壁面３ａと内型枠４との間に設けられるセパレータ受け部材１０と、セパレータ６の内型枠４側と反対側のねじ部６ａを係止するとともに、セパレータ受け部材１０のセパレータ６に対応する位置に固定される長ナット１２とを備えている。【選択図】図３
2012031602.tif 000002
【特許請求の範囲】
【請求項１】
平面視で全周にわたって設けられる壁体の内側に内型枠を配置してコンクリート打設により構造体を構築する場合に用いられ、前記内型枠に取り付けられるセパレータの壁体側端部を固定するためのセパレータ取付冶具であって、
前記壁体に支持され、前記壁体と前記内型枠との間に設けられるセパレータ受け部材と、
前記セパレータの前記内型枠側と反対側の端部を係止するとともに、前記セパレータ受け部材の前記セパレータに対応する位置に固定されるセパレータ係合部材と、
を備えていることを特徴とするセパレータ取付冶具。
【請求項２】
前記セパレータ受け部材は、前記壁体に固定される固定部材によって支持されることを特徴とする請求項１に記載のセパレータ取付冶具。
【請求項３】
前記セパレータ受け部材は、前記内型枠の周方向に沿って全周にわたって設けられていることを特徴とする請求項１又は２に記載のセパレータ取付冶具。
【請求項４】
平面視で全周にわたって設けられる壁体の内側に内型枠を配置してコンクリート打設により構造体を構築する際に、前記内型枠に取り付けられるセパレータの壁体側端部を固定するためのセパレータ取付冶具を用いたコンクリート打設方法であって、
前記壁体と前記内型枠との間の位置で、前記壁体にセパレータ受け部材を直接的或いは間接的に支持させる工程と、
前記セパレータ受け部材の前記セパレータに対応する位置にセパレータ係合部材を固定する工程と、
前記セパレータ受け部材および前記セパレータ係合部材を取り付けた状態で所定のコンクリート打設領域に鉄筋を組み立てる工程と、
前記内型枠を設け、前記セパレータの一端を該内型枠に固定するとともに、他端を前記セパレータ係合部材に係止する工程と、
前記内型枠および前記壁体の間にコンクリートを打設する工程と、
を有することを特徴とするコンクリート打設方法。
【発明の詳細な説明】
【技術分野】
【０００１】
本発明は、立坑などの構造体を構築する際に壁体を外型枠として用いられるセパレータ取付冶具およびコンクリート打設方法に関する。
【背景技術】
【０００２】
従来、吹付けコンクリートからなる土留壁（壁体）内において円形構造物である立坑の内型枠を施工する際には、この壁体を外型枠とし、吹付けコンクリートにアンカーを打設し、円形構造物の鉄筋を組み立てた後でこの鉄筋をアンカーに対して接続し、さらに内型枠を所定位置に配置するためのセパレータを組み立てた鉄筋に溶接している。
ところで、内型枠の施工において、セパレータを用いずに固定柱で内型枠を支持するものが、例えば特許文献１に開示されている。
【０００３】
特許文献１には、壁体を外型枠とし、また地山壁面に沿って組み込まれる多数のセグメントを内型枠として用い、この外型枠と内型枠との間に躯体コンクリートを打設するものであり、内型枠として用いられるセグメントの組み込みを、地山壁面に沿って所定間隔で立設した固定柱によって支持する構造について記載されている。
【先行技術文献】
【特許文献】
【０００４】
【特許文献１】特開平３−５１４８８号公報
【発明の概要】
【発明が解決しようとする課題】
【０００５】
しかしながら、従来の立坑におけるコンクリート打設方法では、以下のような問題があった。
すなわち、複数のセパレータを鉄筋に対して位置決めしながら溶接する作業には、多大な時間と手間がかかっていた。
また、特許文献１に開示されているような従来のコンクリート打設方法にあっても、固定柱に内型枠を支持することが必要な剛性と重量のある部材を用いる必要があり、このような固定柱を正確な位置に位置決めするのに時間と手間がかかるという問題があり、その点で改良の余地があった。
【０００６】
本発明は、上述する問題点に鑑みてなされたもので、内型枠に対するセパレータ取付け構造を簡単にすることで、作業の効率化が図れるセパレータ取付冶具およびコンクリート打設方法を提供することを目的とする。
【課題を解決するための手段】
【０００７】
上記目的を達成するため、本発明に係るセパレータ取付冶具では、平面視で全周にわたって設けられる壁体の内側に内型枠を配置してコンクリート打設により構造体を構築する場合に用いられ、内型枠に取り付けられるセパレータの壁体側端部を固定するためのセパレータ取付冶具であって、壁体に支持され、壁体と内型枠との間に設けられるセパレータ受け部材と、セパレータの内型枠側と反対側の端部を係止するとともに、セパレータ受け部材のセパレータに対応する位置に固定されるセパレータ係合部材とを備えていることを特徴としている。
【０００８】
また、本発明に係るセパレータ取付冶具を用いたコンクリート打設方法では、平面視で全周にわたって設けられる壁体の内側に内型枠を配置してコンクリート打設により構造体を構築する際に、内型枠に取り付けられるセパレータの壁体側端部を固定するためのセパレータ取付冶具を用いたコンクリート打設方法であって、壁体と内型枠との間の位置で、壁体にセパレータ受け部材を直接的或いは間接的に支持させる工程と、セパレータ受け部材のセパレータに対応する位置にセパレータ係合部材を固定する工程と、セパレータ受け部材およびセパレータ係合部材を取り付けた状態で所定のコンクリート打設領域に鉄筋を組み立てる工程と、内型枠を設け、セパレータの一端を内型枠に固定するとともに、他端をセパレータ係合部材に係止する工程と、内型枠および壁体の間にコンクリートを打設する工程とを有することを特徴としている。
【０００９】
本発明では、所定のコンクリート打設領域内に鉄筋を組み立てる前に、内型枠に設けられるセパレータに対応する位置にセパレータ係合部材を配置させたセパレータ受け部材を直接的或いは間接的に壁体に固定させることができ、セパレータ取付冶具を設置した後に、鉄筋を組み立て、さらにセパレータ取付冶具にセパレータを取り付けるとともに、そのセパレータに内型枠を固定する。このとき、セパレータの一端を一般的な固定金具等を用いて内型枠に固定させるとともに、他端をセパレータ係合部材に係止させることで内型枠をセパレータ係合部材を介して壁体から支持することができる。そのため、従来のセパレータを用いて内型枠を支持する方法のように、鉄筋が組み立てられている狭い打設領域において不安定な姿勢で鉄筋にセパレータを溶接するといった時間と手間のかかる作業がなくなるので、作業効率の低下が図れる。
また、例えば壁体と立坑コンクリートとの縁切りを目的としたシートを施工する場合、このシートの施工と鉄筋の組み立てを行う前にセパレータ受け部材を介して壁体に固定しておくことができ、従来のようにシートの施工後に鉄筋にセパレータを溶着する作業がなくなるので、シートに対する防火対策が不要になる利点がある。
【００１０】
また、本発明に係るセパレータ取付冶具では、セパレータ受け部材は、壁体に固定される固定部材によって支持されることが好ましい。
本発明では、固定部材の壁体からの突出量を内型枠によって決められるセパレータ受け部材の位置に合わせて設定することができる。そのため、内型枠に対応する所定位置にセパレータ受け部材を配置することができ、内型枠に設けられる複数のセパレータの長さ寸法を一定にすることが可能となり、使用するセパレータの種類を減らすことができ、施工の効率化を図ることができる。
【００１１】
また、本発明に係るセパレータ取付冶具では、セパレータ受け部材は、内型枠の周方向に沿って全周にわたって設けられていてもよい。
この場合、セパレータの位置に合わせてセパレータ受け部材を設ける必要がなく、作業効率をより高めることができる。
【発明の効果】
【００１２】
本発明のセパレータ取付冶具およびコンクリート打設方法によれば、セパレータ係合部材を固定させたセパレータ受け部材を内型枠により決まる所定位置に配置し、このセパレータ係合部材にセパレータを取り付けるといった簡単な構造となるので、従来のように狭い打設領域で組み立てた鉄筋に対してセパレータを溶接するといった時間や手間のかかる作業が無くなり、作業の効率化を図ることができる。
【図面の簡単な説明】
【００１３】
【図１】本発明の実施の形態によるセパレータ取付冶具を用いた立坑構築状態を示す縦断面図である。
【図２】図１に示す立坑を上から見た図である。
【図３】コンクリート打設状態を示す一部破断斜視図である。
【図４】セパレータ取付冶具の固定状態を示す一部破断した側面図である。
【図５】図４に示すＡ−Ａ線矢視図である。
【図６】実施の形態の変形例のセパレータ取付冶具の固定状態を示す一部破断した側面図であって、図４に対応する図である。
【発明を実施するための形態】
【００１４】
以下、本発明の実施の形態によるセパレータ取付冶具およびコンクリート打設方法について、図面に基づいて説明する。
【００１５】
図１および図２に示すように、本実施の形態によるセパレータ取付冶具１は、鉄筋コンクリート造の平面視で円形の立坑２（構造体）を構築する施工におけるコンクリート打設に適用するものであり、内型枠４を保持するためのセパレータ６を、外型枠として機能させる壁体３（後述する壁面３ａ）に取り付けるための冶具である。
【００１６】
ここで、壁体３は、掘削地盤３Ａに対して土留め用の吹付けコンクリート３Ｂが施されている。なお、吹付けコンクリート３Ｂの吹付け面には後述する打設コンクリート５に対する縁切り用のシート（図示省略）を配置してもよい。
立坑２は、所定位置に設けた内型枠４と壁体３の壁面３ａとの間の打設領域Ｒに鉄筋７を組み立てた後、その打設領域Ｒにコンクリート５を打設することにより構築されている。なお、図２では、見易くするために、鉄筋７が省略されている。
【００１７】
図２に示すように、内型枠４は、構築する立坑２の内周面に沿って湾曲する打設面（内面４ａ）を有し、コンクリート打設時において複数のセパレータ６によって所定位置に保持されている。
【００１８】
図３および図４に示すように、セパレータ６は、軸部６１の一端にねじ部６ａが形成され、他端には内型枠４を押さえるための木コン６２が取り付けられている。このセパレータ６は、軸方向を略水平方向に向けた状態で、ねじ部６ａが後述するセパレータ取付冶具１の長ナット１２に螺着され、このとき木コン６２の押さえ面６２ａで内型枠４の内面４ａを押さえて保持する。なお、内型枠４に対する木コン６２の固定は、内型枠４の外側において、例えばホームタイなどの一般的な金具（図示省略）が使用される。
【００１９】
図３乃至図５に示すように、セパレータ取付冶具１は、壁面３ａの円周方向に沿って全周にわたって設けられるセパレータ受け部材１０と、吹付けコンクリート３を施した壁面３ａに打ち込まれるとともにセパレータ受け部材１０を下方から支持するアンカー１１（固定部材）と、セパレータ受け部材１０の周方向に適宜な間隔をもって設けられてセパレータ６のねじ部６ａに螺合する長ナット１２（セパレータ係合部材）とを備えて構成されている。
【００２０】
アンカー１１は、異形鉄筋が用いられ、予め吹付けコンクリート３の所定位置に設けられている円孔３ｂに接着剤により固着された状態で差し込まれ、壁面３ａから所定長さをもって突出させている。そして、このようなアンカー１１は、図２に示すように、壁面３ａにおいて同一の高さで周方向に沿って所定の間隔をもって複数配置されている。
また、アンカー１１の突出長さ寸法は、内型枠４の位置によって決まるセパレータ受け部材１０を載置させた状態で溶接により固定できる寸法に設定されている。このように、アンカー１１は、セパレータ受け部材１０を載せることが可能な長さ寸法を有していればよく、セパレータ受け部材１０を載せた状態で、図３及び図４に示すように平面視でセパレータ受け部材１０より内型枠４側に張り出していても良い。
【００２１】
セパレータ受け部材１０は、リング状をなし、内型枠４の周方向に沿って全周にわたって設けられている。また、セパレータ受け部材１０は、所定位置に設けられた内型枠４の内面４ａから一定の間隔（セパレータ６の取付け長さ寸法に相当）をあけて配置され、Ｌ形の内角側を内型枠４側に向けた状態でアンカー１１に載置させて溶接により固定されている。なお、溶着部を図４および図５において符号１３で示している。つまり、セパレータ受け部材１０の位置は、内型枠４の内面４ａからの距離を基準としており、具体的には使用するセパレータ６の長さ寸法によって決まる。
ここで、セパレータ受け部材１０において、所定位置に配置された状態で、水平方向に延びる面を受け板１０Ａとする。
そして、セパレータ受け部材１０は、Ｌ形鋼を壁面３ａに沿って湾曲させて周方向に一定の長さをもって分割されており、使用時には溶接により周方向に連結されている。
また、セパレータ受け部材１０の受け板１０Ａの上面１０ａには、長ナット１２が溶接などの固定手段により固定されている。
【００２２】
長ナット１２は、セパレータ受け部材１０の内型枠４に設けられたセパレータ６に対応する位置に設けられており、そのねじ軸方向が取り付けるセパレータ６の軸部６１の軸方向に一致する向きとなるように配置されている。つまり、長ナット１２の雌ねじ１２ａ（図４及び図５参照）には、セパレータ６のねじ部６ａが螺合されるようになっている。
【００２３】
次に、上述したセパレータ取付冶具１の作用と、セパレータ取付冶具１を用いた立坑２の構築方法について、図面に基づいて詳細に説明する。
ここで、図１に示すように、立坑２を構築するためのコンクリート５の打設においては、上下方向に区画された複数の打設スパンを下方から段階的に打設して順次打設高さを上げていくものであり、内型枠４も打設高さに応じて順次上方に組み立てていく手順により行われる。
【００２４】
先ず、図３乃至図５に示すように、所定打設スパンにおいて、吹付けコンクリート３の壁面３ａの所定位置に設けた円孔３ｂにアンカー１１を周方向に同一の高さに打設してその軸方向（長手方向）が壁面３ａに対して略垂直となるように固定する。このときのアンカー１１は、内型枠４の位置によって決まるセパレータ受け部材１０を載置させた状態で固定できる突出長さ寸法としておく。ここで、内型枠４は、立坑２内面の位置で決まるため、測量によりその設置位置が求められている。
【００２５】
次に、壁面３ａから突出したアンカー１１上にセパレータ受け部材１０を載置させた状態で溶接により固定する。ここで、セパレータ受け部材１０は、周方向に分割されており、それら分割されたセパレータ受け部材１０の受け板１０Ａにおける複数の所定位置に長ナット１２を、予め工場や現場のヤード等で溶接したものを用いることが可能である。
【００２６】
このようにして、セパレータ受け部材１０を内型枠４の内面４ａから一定の間隔となる位置でアンカー１１上に溶接して固定する。この状態において、複数の長ナット１２は、それぞれ内型枠４のセパレータ６のねじ部６ａに螺合する所定の位置となる。ここまでの施工がセパレータ取付冶具１の取り付け工程となる。
【００２７】
次に、セパレータ取付冶具１を壁面３ａに取り付けた状態で、壁面３ａに全周にわたって縁切り用のシート（図示省略）を貼り付けるとともに、打設するコンクリート打設領域Ｒに鉄筋７を組み立てる（図１および図２参照）。さらに、鉄筋７を組み立てた後、セパレータ６のねじ部６ａを長ナット１２に螺合させて係止し、このセパレータ６の他端側の木コン６２に内型枠４を適宜な固定金具を用いて固定する。
これにより、内型枠４がセパレータ取付冶具１を介して壁面３ａに対して支持され、壁面３ａを外型枠とする立坑２の打設領域Ｒが形成されることになる。続いて、打設領域Ｒにコンクリート５を打設することで、１打設スパン分の打設作業が完了となる。
【００２８】
本施工において、セパレータ受け部材１０は、壁体３にアンカー１１によって支持される構造であるので、アンカー１１の壁体３からの突出量をセパレータ受け部材１０の位置に合わせて設定することが可能となる。そのため、内型枠４に対応する所定位置にセパレータ受け部材１０を配置することができ、内型枠４の周方向に設けられる複数のセパレータ６のそれぞれの長さ寸法を一定にすることができる。
【００２９】
このようにセパレータ取付冶具１では、従来のセパレータを用いて内型枠を支持する方法のように、鉄筋が組み立てられている狭い打設領域において不安定な姿勢で鉄筋にセパレータを溶接するといった時間と手間のかかる作業がなくなるので、作業効率の低下が図れる。
また、壁体３と立坑コンクリート５との縁切りを目的としたシート（図示省略）を施工する場合、このシートの施工と鉄筋７の組み立てを行う前にセパレータ受け部材１０をアンカー１１を介して壁体３に固定しておくことができ、従来のようにシートの施工後に鉄筋にセパレータを溶着する作業がなくなるので、シートに対する防火対策が不要になる利点がある。
【００３０】
また、アンカー１１の壁体３（壁面３ａ）からの突出量を内型枠４によって決められるセパレータ受け部材１０の位置に合わせて設定することができる。そのため、内型枠４に対応する所定位置にセパレータ受け部材１０を配置することができ、内型枠４に設けられる複数のセパレータ６の長さ寸法を一定にすることが可能となり、使用するセパレータ６の種類を減らすことができ、施工の効率化を図ることができる。
【００３１】
上述のように本実施の形態によるセパレータ取付冶具およびコンクリート打設方法では、長ナット１２を固定させたセパレータ受け部材１０を内型枠４により決まる所定位置に配置し、この長ナット１２にセパレータ６を取り付けるといった簡単な構造となるので、従来のように狭い打設領域で組み立てた鉄筋７に対してセパレータ６を溶接するといった時間や手間のかかる作業が無くなり、作業の効率化を図ることができる。
【００３２】
以上、本発明によるセパレータ取付冶具およびコンクリート打設方法の実施の形態について説明したが、本発明は上記の実施の形態に限定されるものではなく、その趣旨を逸脱しない範囲で適宜変更可能である。
例えば、本実施の形態ではセパレータ受け部材１０にＬ形鋼を採用しているが、例えばＨ形鋼やＣ形鋼など他の断面形状の部材を用いることも可能である。
【００３３】
また、セパレータ受け部材１０の平面視形状を円形の立坑２（内型枠４）に合わせたリング状としているが、立坑２が平面視矩形の場合には、その形状に合わせて平面視で矩形のセパレータ受け部材とすることも可能である。さらにセパレータ受け部材１０の位置もセパレータ６の長さ寸法に合わせて任意に設定することができる。
【００３４】
さらに、アンカー１１の固定方法として、本実施の形態では接着剤を用いて壁体３の円孔３ｂ内に固着させているが、これに限定されることはなく、例えば打ち込み式のアンカーであってもかまわない。
【００３５】
さらにまた、その他のアンカー１１（固定部材）の固定方法として、図６の変形例に示すように、掘削壁Ｈにライナープレート８を設けた場合がある。この場合、ライナープレート８に鋼棒１１（上述した実施の形態のアンカーと同一の符号を用いている）を溶接により固定するセパレータ取付冶具１であって、鋼棒１１を適宜な位置で折り曲げて、鋼棒１１のライナープレート８に接する箇所が溶着されている。ここで、この溶着部を図６において符号１４で示している。なお、この場合、セパレータ受け部材１０、長ナット１２、内型枠４、セパレータ６などの構成は上述した実施の形態と同様である。
【符号の説明】
【００３６】
１  セパレータ取付冶具
２  立坑
３  壁体
３Ａ  掘削地盤
３Ｂ  吹付けコンクリート
３ａ  壁面
３ｂ  円孔
４  内型枠
４ａ  内面
５  コンクリート
６  セパレータ
６ａ  ねじ部
７  鉄筋
１０  セパレータ受け部材
１１  アンカー（固定部材）
１２  長ナット（セパレータ係合部材）
Ｒ  打設領域  
【図１】
2012031602.tif 000003
【図２】
2012031602.tif 000004
【図３】
2012031602.tif 000005
【図４】
2012031602.tif 000006
【図５】
2012031602.tif 000007
【図６】
2012031602.tif 000008